(57)【要約】【課題】本発明は各種音響機器等に搭載されるスピーカの製作に使用されるボイスコイル位置決め治具およびこの治具を用いたスピーカの製造方法に関するものであり、トッププレートや磁石及びボイスコイルの寸法誤差によって、偏りなく、精度よくボイスコイルの位置決めをすることができなくなってしまうことを解決することが課題であった。【解決手段】スピーカのボイスコイルの位置決め治具１１の位置決めピン１３Ａ〜１３Ｄを水平方向に進退可能に基台１２に設けることで、磁気回路部品の寸法誤差の影響を受けることがない磁気回路部品の中心出しと、ボイスコイルの寸法誤差に影響されることがないボイスコイルと磁気回路部品との中心出しをすることができ、偏心なく、精度よくボイスコイルの位置決めをすることが可能となる。【選択図】図１
2009253793.tif 000002
【特許請求の範囲】
【請求項１】
基台と、この基台に対して水平方向に移動可能に設けられた複数の位置決めピンとを有し、前記複数の位置決めピンは、スピーカの磁気回路に設けた位置決めピン挿入用の挿入孔に前記磁気回路の裏面側から挿入され、水平内側または外側方向に移動して、前記磁気回路を構成する磁気回路部品のうち少なくとも一つの部品の中心位置を出す（中心出し）第１の位置と、この第１の位置から先の移動方向とは逆の方向へ水平移動して、前記磁気回路の磁気ギャップに挿入されたボイスコイルの位置を確保する第２の位置とを取りうるように位置制御されるボイスコイル位置決め治具。
【請求項２】
ヨークと、このヨークの内側に結合された磁石とこの磁石の前記ヨークとの結合面と反対側に結合されたトッププレートとからなる磁石部とで構成される内磁型の磁気回路と、この磁気回路の磁気ギャップにその一部が配置されたボイスコイルとを有するスピーカのためのボイスコイル位置決め治具であって、前記ボイスコイル位置決め治具は、基台と、この基台に対して水平方向に移動可能に設けられた複数の位置決めピンとを有し、前記複数の位置決めピンは、前記磁気回路に設けた位置決めピン挿入用の挿入孔にこの磁気回路の裏面側から挿入され、水平内側方向に移動して、前記磁石部の中心位置を出す（中心出し）第１の位置と、この第１の位置から水平外側方向に後退して、前記ボイスコイルの位置を確保する第２の位置とを取りうるように位置制御されるボイスコイル位置決め治具。
【請求項３】
センターポールを有するヨークと、このヨークに結合された磁石とこの磁石の前記ヨークとの結合面と反対側に結合されたトッププレートとからなる磁石部とで構成される外磁型の磁気回路と、この磁気回路の磁気ギャップにその一部が配置されたボイスコイルとを有するスピーカのためのボイスコイル位置決め治具であって、前記ボイスコイル位置決め治具は、基台と、この基台に対して水平方向に移動可能に設けられた複数の位置決めピンとを有し、前記複数の位置決めピンは、前記磁気回路に設けた位置決めピン挿入用の挿入孔にこの磁気回路の裏面側から挿入され、水平内側または外側方向に移動して、前記センターポールまたは磁石部の中心位置を出す（中心出し）第１の位置と、この第１の位置から先の移動方向とは逆の方向へ水平移動して、前記ボイスコイルの位置を確保する第２の位置とを取りうるように位置制御されるボイスコイル位置決め治具。
【請求項４】
複数の位置決めピンは４つの位置決めピンであって、この４つの位置決めピンのそれぞれの中心軸を水平に結ぶ直線の描く軌跡が略菱形である請求項１−３記載のボイスコイル位置決め治具。
【請求項５】
請求項１記載のボイスコイル位置決め治具を用いたスピーカの製造方法であって、磁気回路の裏面側から、この磁気回路の底部に設けられた挿入孔に位置決めピンを挿入する挿入工程と、この挿入された位置決めピンを水平内側または外側方向に移動させるとともに磁気回路を構成する磁気回路部品のうち少なくとも１つの部品の中心の位置決めをする第１の位置決め工程と、この第１の位置決め工程後に、前記第１の位置決め工程とは逆の方向に前記位置決めピンを水平移動させ、ボイスコイルの位置決めをするか、後にボイスコイルを保持する位置を確保する第２の位置決め工程とを含んだスピーカの製造方法。
【発明の詳細な説明】
【技術分野】
【０００１】
本発明は各種音響機器等に搭載されるスピーカの製作に使用されるボイスコイル位置決め治具およびこの治具を用いたスピーカの製造方法に関するものである。
【背景技術】
【０００２】
従来の内磁型のスピーカの製造時における、ボイスコイル位置決め治具及びこれを用いたボイスコイルの位置決め方法を、図５−図７を用いて説明する。
【０００３】
図５は、壺型のヨーク５２の内側に磁石５３とこの磁石５３より径が大きいトッププレート５４が積層された内磁型のスピーカの磁気回路５１である。
【０００４】
内磁型のスピーカでは、磁気回路５１のヨーク５２の端部とトッププレート５４の外周部との間に形成された磁気ギャップ５５にボイスコイルが上下動可能に配置される。
【０００５】
図６は、このボイスコイルを配置する際に、ボイスコイルを所定の位置に位置決めするためのボイスコイル位置決め治具６１の斜視図である。
【０００６】
この位置決め治具６１は、略円形の基台６２とこの基台６２に固設された位置決めピン６３からなり、この位置決めピン６３には外壁側に基台６２側が太くなるように先端から中腹にかけて段部６３ａが形成されている。
【０００７】
ここで、磁気回路５１のヨーク５２の底部には位置決め治具６１の位置決めピン６３が挿入可能な挿入孔５２ａが設けられており、位置決め時には図７にあるように、この挿入孔５２ａにヨーク５２の裏面側から位置決めピン６３が挿入され、基台６２の上面とヨーク５２の裏面が当接し、位置決めピン６３の内壁とトッププレート５４の外周部が所定のクリアランスを持つように遊嵌合した状態となっている。
【０００８】
このとき、位置決めピン段部６３ａの厚さが、所定のスピーカに必要なトッププレート５４の外周部とボイスコイル７１の内壁との間隔に設定されており、また段部６３ａは所定のボイスコイル７１の上下位置にあわせるように形成されているので、位置決めピン段部６３ａがボイスコイル７１に内接し、かつ段部６３ａの底面にボイスコイル７１の下端が接するようにボイスコイル７１を位置決めピン６３に嵌合させてやることで、ボイスコイル７１の位置決めを行っている。
【０００９】
尚、図７では振動板、エッジ等の部品は図示していない。
【００１０】
ここで、この出願の発明に関する先行技術文献としては、例えば特許文献１が知られている。
【特許文献１】特開２００５−５１２８３号公報
【発明の開示】
【発明が解決しようとする課題】
【００１１】
近年、携帯電話等の移動体通信機器に使用されている小型スピーカは、更なる小型化、高音圧化、高耐入力化、高生産性に対する市場要求が顕著になってきており、それにともなってスピーカの製造工程においてもより高い組立て精度が求められてきている。
【００１２】
スピーカの製造工程においては、ボイスコイルの磁気回路の磁気ギャップへの配置、特にトッププレート外周部（トッププレートがない場合は磁石外周部）とボイスコイル内壁との間隔を偏りなく確保することが最も精度を必要とする工程であり、各種部品の寸法誤差程度の偏心すらも許されない状況となりつつある。
【００１３】
ここで、図７に示すように、上述の従来のボイスコイル位置決め治具６１では、位置決め治具６１の位置決めピン６３に、トッププレート５４及びボイスコイル７１がスムースに嵌合できるようにある程度の寸法余裕が設けられている。
【００１４】
この寸法余裕は、トッププレート５４、ボイスコイル７１がその寸法公差内において最大、最小の寸法であっても、位置決めピン６３で構成される内側空間、外側空間にトッププレート５４やボイスコイル７１を嵌め込めるだけの余裕を有している。
【００１５】
このことは、押し込むことなく位置決め治具６１の位置決めピン６３の内側にトッププレート５４を、もしくは外側にボイスコイル７１をスムースに入れられることで生産性を向上させるという意味において重要な事項である。
【００１６】
しかしながら、この寸法余裕は、トッププレート５４、ボイスコイル７１が最大、最小寸法のものであっても対応できるものとなっているため、トッププレート５４及びボイスコイル７１が平均寸法であった場合等に、精度よくボイスコイル７１の位置決めをすることの妨げとなる原因の一つとなっている。
【００１７】
つまり、トッププレート５４が平均寸法であった場合には、位置決めピン６３をヨーク５２に挿入し嵌合させたときに、トッププレート５４と位置決めピン６３との間にこの寸法余裕による隙間が生じてしまい、位置決め治具６１とトッププレート５４の中心がずれてしまうことがあり、その状態でボイスコイル７１を装着させた場合に、トッププレート５４とボイスコイル７１の中心もずれることになり、結果として偏りなく、精度良くボイスコイル７１の位置決めをすることができなくなってしまう。
【００１８】
また、もしトッププレート５４と位置決め治具６１の中心が合致したとしても、ボイスコイル７１と位置決めピン６３との間に隙間が生じている場合には、同様にトッププレート５４とボイスコイル７１の中心はずれることになり、偏りなくボイスコイル７１の位置決めをすることができないという課題があった。
【００１９】
本発明は上記課題を解決するもので、トッププレートや磁石及びボイスコイルに寸法誤差があったとしても、その寸法誤差に影響されずに、偏りなく、精度よくボイスコイルの位置決めをすることができるボイスコイル位置決め治具およびこの位置決め治具を用いたスピーカの製造方法を提供するものである。
【課題を解決するための手段】
【００２０】
上記課題を解決するために、本発明のボイスコイル位置決め治具およびこの位置決め治具を用いたスピーカの製造方法は以下の構成を有するものとなっている。
【００２１】
請求項１記載のものは、基台と、この基台に対して水平方向に移動可能に設けられた複数の位置決めピンとを有し、前記複数の位置決めピンは、スピーカの磁気回路に設けた位置決めピン挿入用の挿入孔に前記磁気回路の裏面側から挿入され、水平内側または外側方向に移動して、前記磁気回路を構成する磁気回路部品のうち少なくとも一つの部品の中心位置を出す（中心出し）第１の位置と、この第１の位置から先の移動方向とは逆の方向へ水平移動して、前記磁気回路の磁気ギャップに挿入されたボイスコイルの位置を確保する第２の位置とを取りうるように位置制御される構成となっている。
【００２２】
請求項２記載のものは、ヨークと、このヨークの内側に結合された磁石とこの磁石の前記ヨークとの結合面と反対側に結合されたトッププレートとからなる磁石部とで構成される内磁型の磁気回路と、この磁気回路の磁気ギャップにその一部が配置されたボイスコイルとを有するスピーカのためのボイスコイル位置決め治具であって、前記ボイスコイル位置決め治具は、基台と、この基台に対して水平方向に移動可能に設けられた複数の位置決めピンとを有し、前記複数の位置決めピンは、前記磁気回路に設けた位置決めピン挿入用の挿入孔にこの磁気回路の裏面側から挿入され、水平内側方向に移動して、前記磁石部の中心位置を出す（中心出し）第１の位置と、この第１の位置から水平外側方向に後退して、前記ボイスコイルの位置を確保する第２の位置とを取りうるように位置制御される構成となっている。
【００２３】
請求項３記載のものは、センターポールを有するヨークと、このヨークに結合された磁石とこの磁石の前記ヨークとの結合面と反対側に結合されたトッププレートとからなる磁石部とで構成される外磁型の磁気回路と、この磁気回路の磁気ギャップにその一部が配置されたボイスコイルとを有するスピーカのためのボイスコイル位置決め治具であって、前記ボイスコイル位置決め治具は、基台と、この基台に対して水平方向に移動可能に設けられた複数の位置決めピンとを有し、前記複数の位置決めピンは、前記磁気回路に設けた位置決めピン挿入用の挿入孔にこの磁気回路の裏面側から挿入され、水平内側または外側方向に移動して、前記センターポールまたは磁石部の中心位置を出す（中心出し）第１の位置と、この第１の位置から先の移動方向とは逆の方向へ水平移動して、前記ボイスコイルの位置を確保する第２の位置とを取りうるように位置制御される構成となっている。
【００２４】
請求項４記載のものは、請求項１−３記載のボイスコイル位置決め治具において、複数の位置決めピンは４つの位置決めピンであり、この４つの位置決めピンのそれぞれの中心軸を水平に結ぶ直線の描く軌跡が略菱形となるような構成となっている。
【００２５】
請求項５記載のものは、請求項１記載のボイスコイル位置決め治具を用いたスピーカの製造方法であって、磁気回路の裏面側から、この磁気回路の底部に設けられた挿入孔に位置決めピンを挿入する挿入工程と、この挿入された位置決めピンを水平内側または外側方向に移動させるとともに磁気回路を構成する磁気回路部品のうち少なくとも１つの部品の中心の位置決めをする第１の位置決め工程と、この第１の位置決め工程後に、前記第１の位置決め工程とは逆の方向に前記位置決めピンを水平移動させ、ボイスコイルの位置決めをするか、後にボイスコイルを保持する位置を確保する第２の位置決め工程とを含んでスピーカを製造する方法となっている。
【発明の効果】
【００２６】
以上のように本発明は、スピーカのボイスコイルの位置決め治具の位置決めピンを水平方向に進退可能に基台に設けてやることにより、また、この位置決め治具を用いて、磁気回路の裏面側から、この磁気回路の底部に設けられた挿入孔に位置決めピンを挿入する挿入工程と、この挿入された位置決めピンを水平内側または外側方向に移動させるとともに少なくとも磁気回路を構成する磁気回路部品のうち１つの中心の位置決めをする第１の位置決め工程と、この第１の位置決め工程後に、第１の位置決め工程とは逆の方向に前記位置決めピンを水平移動させ、ボイスコイルの位置決めをする第２の位置決め工程とを含んでスピーカを製造することにより、位置決めピンが水平方向に移動可能なので、全ての位置決めピンを、中心出しをする磁気回路部品に当接させるように移動させることで、磁気回路部品の寸法誤差の影響を受けることなく、その磁気回路部品の中心出しをすることが可能となる。
【００２７】
また、この位置決めピンによって出された中心を保ちながら、先の移動とは逆の方向に位置決めピンを水平移動させ、嵌め込まれたボイスコイルに位置決めピンを当接させることで、ボイスコイルの寸法誤差に影響されることなくボイスコイルと磁気回路部品との中心を合わせることができ、偏心なく、精度よくボイスコイルの位置決めをすることが可能となる。
【００２８】
よって、組立て時の精度向上による不良率の低減化、磁気回路の磁気利用効率の向上によるスピーカの音圧レベル向上や、漏洩磁束の低減を図ることができ、その工業的価値は非常に大なるものである。
【発明を実施するための最良の形態】
【００２９】
以下、本発明の実施の形態について図を用いて説明する。なお、同様の内容については、その説明を省略して説明する。
【００３０】
（実施の形態１）
以下実施の形態１を用いて、本発明の特に請求項１、２及び４に記載の発明について説明する。
【００３１】
本実施の形態は、図５に示した内磁型の磁気回路５１に適用した場合の実施の形態である。
【００３２】
図１は、本発明の一実施の形態のスピーカ用のボイスコイル位置決め治具を示す斜視図である。
【００３３】
図２は、本発明の一実施の形態のスピーカ用のボイスコイル位置決め治具を上から見た平面図である。
【００３４】
図３は、本発明の一実施の形態のスピーカ用のボイスコイル位置決め治具を用いた内磁型の磁気回路のボイスコイルの位置決め方法の流れを表す図である。
【００３５】
以下に本実施の形態におけるボイスコイル位置決め治具１１の構成及び動作について説明する。
【００３６】
図１に示すように、本実施の形態におけるボイスコイル位置決め治具１１は、基台１２と、ヨークの裏面からヨークの底部に設けられた孔に挿入する４つの位置決めピン１３Ａ〜１３Ｄと、これら位置決めピン１３Ａ〜１３Ｄをそれぞれ支え、水平方向に移動可能に基台１２に設けられた支持部１４Ａ〜１４Ｄから構成されている。
【００３７】
位置決め時には、これら位置決めピン１３Ａ〜１３Ｄの内側にヨークの一部、磁石、プレート等の磁気回路構成部品が嵌合され、外側にボイスコイルが嵌め込まれる。
【００３８】
ここで、位置決めピン１３Ａ〜１３Ｄは、外壁側に位置決めピンの基台１２側が太くなるようにその先端から中腹にかけて段部１３Ａａ〜１３Ｄａが設けられている。
【００３９】
また、位置決めピン１３Ａ〜１３Ｄの内壁が、嵌め込まれる磁気回路部品の外周部形状と等しく、段部１３Ａａ〜1３Dａの外壁は、嵌め込まれるボイスコイルの内周部形状と等しくなっている。
【００４０】
また、図２にあるように、それぞれの位置決めピンの軸中心を水平に結んだ直線の描く奇跡が、略ひし形になっており、つまり互いに向かい合う位置決めピン（１３Ａと１３Ｃ、１３Ｂと１３Ｄ）が正対した状態になっており、長方形のボイスコイルが嵌合できるように形成されている。
【００４１】
また、位置決めピン１３Ａと１３Ｃは図２に示したひし形の短対角線と平行に、また１３Ｂと１３Ｄは長対角線と平行に、それぞれの支持部１４Ａ〜１４Ｄを介して移動可能となっている。
【００４２】
そして、支持部１４Ａと１４Ｃ、１４Ｂと１４Ｄはそれぞれ連動して動くようになっており、対向する二つの位置決めピンの中心を変えることなく、片方が内側方向に動くときはもう一方も同じ分だけ内側方向に、また片方が外側方向に動くときはもう一方も同じ分だけ外側方向に動くように構成されている。
【００４３】
また、上記動作の範囲において、任意な箇所で支持部１４Ａ〜１４Ｄを固定することが可能となっている。
【００４４】
ここでの支持部１４Ａ〜１４Ｄを動かす機構はネジ機構を用いたものであるが、本発明においてはネジ機構に限定されるものではなく、上記動作を可能とするものなら何でもよい。
【００４５】
以上の構成、動作機構を有するボイスコイル位置決め治具１１の使用方法を、図３を用いて以下に説明する。
【００４６】
尚、図３（ａ）及び（ｃ）の円で囲った図は、位置決め時の位置決めピン１３付近を拡大した図である。
【００４７】
まず、４つの位置決めピン１３Ａ〜１３Ｄを、対応するヨークの挿入孔５２ａにヨーク５２の裏面側から挿入し、トッププレート５４の外周部に４つの全ての位置決めピン１３Ａ〜１３Ｄの内壁が当接するまで支持部１４Ａ〜１４Ｄを移動させ、そのときの位置決めピン１３の内側方向への押圧力により磁気回路を動かし、４つの位置決めピン１３Ａ〜１３Ｄにトッププレート５４を把持させることにより、つまり所謂チャック機構によりこのトッププレート５４と磁石５３からなる磁石部５６（図５）の中心出しをする（図３ａ）。
【００４８】
そして磁石部５６の中心出しをした後に、位置決めピン１３を、位置決めピン１３に外嵌合されたボイスコイル７１の内壁に４つの全ての位置決めピンの段部１３Ａａ〜1３Ｄａの外壁が圧接した状態になるまで水平外側方向に後退させ、そのときの外側方向への押圧力でボイスコイル７１を動かし、ボイスコイル７１の中心出しをする（図３ｂ）。
【００４９】
ここで、磁石部５６の中心出し時に位置決めピン１３により出された中心は保たれた状態のままである。
【００５０】
このとき、４つの位置決めピン１３Ａ〜１３Ｄで構成される空間の中心と磁石部５６の中心は合致しているので、つまりボイスコイル７１と磁石部５６の中心も合致することになり、ボイスコイル７１の内壁全周においてトッププレート５４の外周部との間隔が等しく、偏りがなくボイスコイル７１の位置決めをすることができる（図３ｃ）。
【００５１】
そして、この位置決めされた状態でボイスコイル７１を固定し、位置決めピン１３を何れの磁気回路部品にも接しない位置に移動させ、ヨークの挿入孔５２ａから位置決め治具１１が抜き取られる（図３ｄ）。
【００５２】
尚、ここではトッププレート５４の外周が磁石５３の外周より大きい磁気回路について説明したが、トッププレート５４と磁石５３の外周が等しい場合には、位置決めピン１３の内壁をトッププレート５４及び磁石５３の外周部に、またトッププレート５４がない場合には、磁石５３の外周部に当接させることで磁石部５６の中心出しが可能となる。
【００５３】
また、ヨーク５２、磁石５３及びトッププレート５４の中心が合致している場合には、磁気回路全体の中心出しが可能となる。
【００５４】
また上記使用方法では、磁石部５６の中心出し後、ボイスコイル７１を嵌合させてから位置決めピン１３を外側方向に移動させているが、ボイスコイル７１を嵌合させる前に、位置決めピン１３を所定の位置に移動させ、その後ボイスコイル７１を位置決めピン１３に嵌め込んでもよい。
【００５５】
（実施の形態２）
以下実施の形態２を用いて、本発明の特に請求項１、３及び４に記載の発明について説明する。
【００５６】
本実施の形態は、図４に示すような、センターポール４２ａを有するヨーク４２とこのヨーク４２に結合された磁石４３とこの磁石４３上に結合された上部プレート４４からなる外磁型の磁気回路４１に適用した場合の実施の形態である。
【００５７】
磁気回路が外磁型の場合には、ヨーク４２の中心に設けられたセンターポール４２ａとボイスコイルの中心を合わせる場合と、ヨーク４２の外周部に設けられた磁石部４６とボイスコイルの中心を合わせる場合がある。
【００５８】
以下、その構成、動作及び使用方法について説明する。
【００５９】
前者の場合のボイスコイル位置決め治具の構成及び動作は、実施の形態１で記述したものと同様のものである。
【００６０】
その使用方法は、まずセンターポール４２ａ付近に設けられたヨークの挿入孔４２ｂに位置決めピンを挿入し、位置決めピンの内壁でセンターポール４２ａの外周部を把持することで、センターポール４２ａの中心出しを行う。
【００６１】
その後は上述した内磁型の場合と同様の方法で、センターポール４２ａに対して偏心なくボイスコイルの位置決めをすることが可能となる。
【００６２】
後者の場合のボイスコイル位置決め治具の構成は、実施の形態１で記述したものと位置決めピンに設けられた段部の位置が異なり、それ以外は同様である。
【００６３】
つまり、内壁側に段部が形成されていることのみが異なる点である。
【００６４】
動作及び使用方法については、実施の形態１で記述したものとその動きが逆方向の動作となる。
【００６５】
磁石部４６付近に設けられたヨークの挿入孔４２ｂに位置決めピンを挿入し、上述した内磁型の場合とは逆に、まず位置決めピンの外壁を磁石部４６の内周部に当接させるまで移動させることで磁石部４６の中心出しを行う。
【００６６】
その後、位置決めピンを、位置決めピンの段部内壁がボイスコイル外周部に当接するまで内側方向に水平移動させることで、磁石部４６に対して偏心なくボイスコイルの位置決めを行うことが可能となる。
【００６７】
以上のようにボイスコイル位置決め治具を構成し動作させることで、外磁型の磁気回路についてもそのボイスコイルの正確な位置決めが可能となる。
【００６８】
ここで、内磁型、外磁型に関わりなく、磁石部等の中心出し後の位置決めピンの外側方向への後退移動がない場合を考える。
【００６９】
この場合、位置決めピン段部の厚みがトッププレートとボイスコイルとの所定の間隔に等しく設定されており、位置決めピン段部の厚みのみでボイスコイルの位置規制をすることになる。
【００７０】
しかし、この方法でボイスコイルの位置規制を行うと、トッププレート、磁石及びボイスコイルの寸法誤差の影響を受けてしまうことになる。
【００７１】
つまり、トッププレートの外周が磁石の外周より大きい内磁型の磁気回路の場合、トッププレート及びボイスコイルの外周が寸法通りであれば、位置決めピン段部の厚みがトッププレートとボイスコイルとの所定の間隔と等しくなっているので、ボイスコイルをそのまま外嵌合させることで、ボイスコイルの位置決めが偏りなく正確に行われることになる。
【００７２】
しかし、トッププレートの外周に寸法誤差が存在する場合には、磁石部の中心出しは行われるものの、位置決めピンはトッププレートに当接するまで移動させているので、位置決めピンの厚みとトッププレートの寸法誤差との合計がトッププレートとボイスコイルとの所定の間隔となってしまい、トッププレートの寸法誤差の影響を免れることができない。
【００７３】
例えば、トッププレートが平均寸法より小さい場合には、位置決めピンをトッププレートに当接させた状態でボイスコイルを嵌め込むと、位置決めピン段部外壁とボイスコイル内壁との間に、トッププレートが平均寸法より小さい分だけのクリアランスが生じてしまう。
【００７４】
このクリアランスの存在により、位置決めピンによりボイスコイルの中心出しを正確にすることができず、ボイスコイルの中心と磁石部の中心が合わないので、結果としてボイスコイルは磁石部に対して偏って配置されてしまうことになる。
【００７５】
また、トッププレートに寸法誤差がない場合でも、ボイスコイルに寸法誤差がある場合には、同様に位置決めピンとボイスコイルの間に、クリアランスが生じてしまうことになる。
【００７６】
その点本願発明におけるボイスコイルの位置決め治具においては、一度磁石部の中心出しをした後に、位置決めピンは、その中心を保ったまま水平外側方向に後退して磁石部からは離れた状態となるので、トッププレート等の寸法誤差の影響を受けることがない。
【００７７】
また、位置決めピンの外壁がボイスコイルの内壁を圧接する状態とすることができるので、ボイスコイルの中心出しにおいてボイスコイルの寸法誤差の影響を受けることがない。
【００７８】
つまり、磁石部の中心出し後の位置決めピンの外側方向への後退移動があることで、トッププレート及びボイスコイルの寸法誤差の影響を受けることなく、偏りなく正確にボイスコイルの位置決めを行うことができるのである。
【００７９】
尚、上記実施の形態１、２では、４つの位置決めピンを有し、スリム形状、特に長方形の磁気回路及びボイスコイルに適応した位置決め治具について説明したが、位置決めピンの数は４つでなくてもよく、また磁気回路及びボイスコイルの形状も、その他のスリム形状（楕円形状、トラック形状等）や円形でもよい。
【００８０】
磁気回路及びボイスコイルが円形の場合には、回転方向（θ方向）の規制が不必要なので、位置決めピンは３つでよく、上記動作と同様に３つの位置決めピンを連動して移動させてやることで磁石部及びボイスコイルの中心出しが可能となる。
【００８１】
以上説明したように、本実施の形態におけるボイスコイル位置決め治具は、位置決め治具の位置決めピンを水平移動可能にし、所謂内壁でのチャック機構と外壁でのチャック機構を持たせることによって、磁気回路部品及びボイスコイルの寸法誤差に影響されることなく、磁気回路部品及びボイスコイルの中心出しをし、偏心なくボイスコイルの位置決めをすることができるボイスコイル位置決め治具とすることができる。
【００８２】
（実施の形態３）
以下、実施の形態３を用いて、本発明の請求項５に記載のスピーカの製造方法について説明する。
【００８３】
尚、ここで用いる位置決め治具は、上述した図１に示す長方形形状のスピーカに対応した位置決め治具であり、全体的な流れについては、実施の形態１で示したボイスコイル位置決め治具１の使用方法（図３）と同じである。
【００８４】
まず、底面に挿入孔を有する壺型のヨークの内側に、磁石と磁石よりも径が大きく磁石から径方向に突出したトッププレートが積層された内磁型の磁気回路に、ヨークの裏面側（磁石の積層と反対側）から位置決めピンを挿入し、ヨーク裏面と基台の上面を当接させる。
【００８５】
ヨークの外周部にはフレームが結合されている。
【００８６】
この時点では、磁石部の中心出しは行われていない。
【００８７】
次に、４つの位置決めピンを内側方向に水平移動させ、４つの全ての位置決めピンの内壁をトッププレートの外周部に当接させるように位置決めピンでトッププレートを把持する。
【００８８】
この時点で、位置決めピンの所謂チャック機構により磁石部の中心出しが完了することになる。
【００８９】
そして、この位置で磁気回路全体を固定する。
【００９０】
磁気回路を固定後に、位置決めピンに外嵌合するように上部に振動板が結合されたボイスコイルを嵌め込む。
【００９１】
次に、４つの位置決めピンを、中心出しした中心を保ちながら外側方向（トッププレートから離れる方向）に水平に後退させる。
【００９２】
このとき、位置決めピンの段部外壁がボイスコイルの内壁に当接するまで後退させ、位置決めピンでボイスコイルを内側から略圧接した状態とする。
【００９３】
一度磁石部の中心出しをした後は、位置決めピンを移動させてもその中心出しされた中心は保たれているので、位置決めピンに外嵌合したボイスコイルの中心も磁石部の中心と合致した状態となる。
【００９４】
また、ボイスコイルの垂直方向の位置は、位置決めピンの段部底面で正確に規制されている。
【００９５】
この状態で、振動板のエッジ部をフレームの外周部に固定することで、ボイスコイルを固定する。
【００９６】
最後にダストキャップを取り付け、位置決めピンを磁気回路部品及びボイスコイルから離れた位置にまで移動させて、位置決め治具をヨークから抜き取り、スピーカの完成となる。
【００９７】
以上のように、位置決めピンをヨークの裏面から挿入し、位置決めピンを、位置決めピンにより形成される中心軸に対称に移動させ、その内壁または外壁を磁気回路部品に当接させることにより、所謂チャック機構で磁気回路部品の中心出しをし、その中心を保ったまま位置決めピンを先の動作とは逆の方向に移動させ、その外壁または内壁と段部によってボイスコイルの位置規制をすることによって、磁気回路部品とボイスコイルの中心を精度よく合わせることができ、磁気ギャップ中に精度よくボイスコイルを配置することが可能となる。
【００９８】
尚、スピーカの製造方法はこれに限定されるものではなく、磁気回路の裏面側から、この磁気回路の底部に設けられた挿入孔に位置決めピンを挿入する挿入工程と、この挿入された位置決めピンを水平内側または外側方向に移動させるとともに少なくとも磁気回路を構成する磁気回路部品のうち１つの中心の位置決めをする第１の位置決め工程と、この第１の位置決め工程後に、第１の位置決め工程とは逆の方向に前記位置決めピンを水平移動させ、ボイスコイルの位置決めをするか、後にボイスコイルを保持する位置を確保する第２の位置決め工程とを含んでいればよい。
【００９９】
例えば、上述した製造方法では、第１の位置決め工程後にボイスコイルを嵌め込み、その後に位置決めピンを水平移動させているが、第１の位置決め工程後にボイスコイルが嵌め込まれる位置に位置決めピンを水平移動させ、その後ボイスコイルを位置決めピンに嵌め込む製造方法とすることも可能である。
【産業上の利用可能性】
【０１００】
以上のように本発明は、スピーカの組立て時のボイスコイルの磁気ギャップへの配置の精度向上を図り、磁気効率の向上を図ることのできるボイスコイル位置決め治具及びこれを用いた製造方法の提供を可能とするものである。
【図面の簡単な説明】
【０１０１】
【図１】本発明の一実施の形態のスピーカ用のボイスコイル位置決め治具の斜視図
【図２】本発明の一実施の形態のスピーカ用のボイスコイル位置決め治具の上面図
【図３】本発明の一実施の形態のスピーカ用のボイスコイル位置決め治具を用いた内磁型の磁気回路のボイスコイルの位置決め方法の流れを示す図
【図４】外磁型のスピーカの磁気回路を示す図
【図５】内磁型のスピーカの磁気回路を示す図
【図６】従来のボイスコイル位置決め治具の斜視図
【図７】従来のボイスコイル位置決め治具を用いた位置決め時を示す図
【符号の説明】
【０１０２】
１１  ボイスコイル位置決め治具
１２  基台
１３Ａ〜１３Ｄ  位置決めピン
１３Ａａ〜１３Ｄａ  段部
１４Ａ〜１４Ｄ  支持部
４１  外磁型磁気回路
４２  ヨーク
４２ａ  センターポール
４２ｂ  挿入孔
４３  磁石
４４  上部プレート
４６  磁石部
５１  内磁型磁気回路
５２  ヨーク
５２ａ  挿入孔
５３  磁石
５４  トッププレート
５５  磁気ギャップ
５６  磁石部
６１  位置決め治具
６２  基台
６３  位置決めピン
６３ａ  段部
７１  ボイスコイル
【図１】
2009253793.tif 000003
【図２】
2009253793.tif 000004
【図３】
2009253793.tif 000005
【図４】
2009253793.tif 000006
【図５】
2009253793.tif 000007
【図６】
2009253793.tif 000008
【図７】
2009253793.tif 000009